(57)【要約】【課題】ドラムカートリッジがドロワに装着され、ドロワが内側位置に位置する状態で、クリーニング部材が上下方向において感光ドラムと定着器との間に位置するような画像形成装置であって、ドラムカートリッジと現像カートリッジとを個別に交換することができる画像形成装置を提供する。【解決手段】  画像形成装置１は、ドロワ４、ドラムカートリッジ５、露光器６、現像カートリッジ７および定着器９を備える。ドラムカートリッジ５は、感光ドラム１３と、クリーニング部材３２と、廃トナー搬送管３３とを備える。ドラムカートリッジ５は、ドロワ４に装着可能である。現像カートリッジ７は、トナー収容器１６と廃トナー収容器２１とを備え、ドラムカートリッジ５に装着可能である。トナー収容器１６は、現像ローラ１５を有し、廃トナー収容器２１に対して揺動可能に連結されている。【選択図】図１
2019204006.tif 000002
【特許請求の範囲】
【請求項１】
装置本体と、
前記装置本体内に位置する内側位置と、前記装置本体外に位置する外側位置との間を移動可能なドロワと、
感光ドラムと、前記感光ドラムをクリーニングするためのクリーニング部材と、前記クリーニング部材によって前記感光ドラムから除去された廃トナーを搬送するための廃トナー搬送管と、を備えるドラムカートリッジであって、前記ドロワに装着可能なドラムカートリッジと、
前記感光ドラムを露光して潜像を形成する露光器と、
前記感光ドラムに形成された前記潜像をトナーで現像してトナー像を形成する現像ローラを有するトナー収容器であって、前記現像ローラに供給されるトナーを収容可能なトナー収容器と、前記廃トナーを収容可能な廃トナー収容器とを備える現像カートリッジであって、前記ドラムカートリッジに装着可能な現像カートリッジと、
前記感光ドラムから印刷媒体に転写されたトナー像を定着させる定着器であって、前記ドラムカートリッジが前記ドロワに装着され、前記ドロワが前記内側位置に位置する状態で、前記感光ドラムの上方に間隔を隔てて位置する定着器と、
を備え、
前記クリーニング部材は、前記ドラムカートリッジが前記ドロワに装着され、前記ドロワが前記内側位置に位置する状態で、上下方向において、前記感光ドラムと前記定着器との間に位置し、
前記トナー収容器は、前記廃トナー収容器に対して揺動可能に連結されていることにより、前記現像カートリッジが前記ドラムカートリッジに装着された状態で、前記感光ドラムに対して移動可能であることを特徴とする、画像形成装置。
【請求項２】
前記廃トナー搬送管は、前記感光ドラムの回転軸が延びる軸線方向に延びる円筒形状を有し、
前記現像カートリッジは、前記ドラムカートリッジに装着されるとき、前記廃トナー搬送管について回動することを特徴とする、請求項１に記載の画像形成装置。
【請求項３】
前記廃トナー収容器は、
前記トナー収容器を揺動可能に支持するシャフトを備え、
前記ドラムカートリッジは、
前記現像カートリッジが前記ドラムカートリッジに装着されるときに前記シャフトをガイドするガイドであって、前記廃トナー搬送管の下方を通って前記現像カートリッジの回動方向に延びるガイドを有することを特徴とする、請求項２に記載の画像形成装置。
【請求項４】
前記廃トナー搬送管は、
前記廃トナーを排出する排出口を有し、前記排出口を閉鎖する閉位置と前記排出口を開放する開位置との間を前記回動方向に移動可能なシャッターを備え、
前記シャッターは、切欠きを有し、
前記廃トナー収容器は、前記シャッターの前記切欠きに嵌まる突起を有し、
前記シャッターは、前記現像カートリッジが前記ドラムカートリッジに装着されるときに、前記突起が前記切欠きに嵌まることにより、前記廃トナー収容器とともに前記閉位置から前記開位置へ移動することを特徴とする、請求項３に記載の画像形成装置。
【請求項５】
前記廃トナー搬送管は、前記感光ドラムの回転軸が延びる軸線方向と交差する方向に延びる円筒形状を有し、
前記廃トナー収容器は、前記廃トナー搬送管が挿入される挿入部を有することを特徴とする、請求項１に記載の画像形成装置。
【請求項６】
前記廃トナー収容器は、
前記トナー収容器を揺動可能に支持するシャフトを備え、
前記ドラムカートリッジは、
前記現像カートリッジが前記ドラムカートリッジに装着されるときに前記シャフトをガイドするガイドであって、前記廃トナー搬送管の下方を通って前記廃トナー搬送管が延びる方向に延びる直線形状のガイドを有することを特徴とする、請求項５に記載の画像形成装置。
【請求項７】
前記廃トナー搬送管は、
前記廃トナーを排出する排出口を有し、前記排出口を閉鎖する閉位置と前記排出口を開放する開位置との間を前記廃トナー搬送管が延びる方向に移動可能なシャッターを備え、
前記シャッターは、前記現像カートリッジが前記ドラムカートリッジに装着されるときに、前記廃トナー収容器に接触して前記閉位置から前記開位置に移動することを特徴とする、請求項６に記載の画像形成装置。
【請求項８】
前記廃トナー収容器は、前記現像カートリッジが前記ドラムカートリッジに装着された状態で、前記現像ローラが前記感光ドラムに接触する方向に向かって前記トナー収容器を押圧する押圧部材を備えることを特徴とする、請求項１から請求項７のいずれか一項に記載の画像形成装置。
【発明の詳細な説明】
【技術分野】
【０００１】
本開示は、画像形成装置に関する。
【背景技術】
【０００２】
従来、画像形成装置は、装置本体と、装置本体内に位置する内側位置と、装置本体外に位置する外側位置との間を移動可能なドロワと、ドロワに装着可能なカートリッジと、露光器と、定着器とを備える。カートリッジは、感光ドラムと、感光ドラムをクリーニングするクリーニング部材と、現像ローラを有しトナーを収容する現像ユニットとを備える。カートリッジがドロワに装着され、ドロワが内側位置に位置する状態で、クリーニング部材は、感光ドラムと定着器との間に位置する（下記特許文献１参照）。
【先行技術文献】
【特許文献】
【０００３】
【特許文献１】特開２０１６−０８１０３４号公報
【発明の概要】
【発明が解決しようとする課題】
【０００４】
特許文献１に記載されるような画像形成装置では、カートリッジは、感光ドラムと現像ユニットとを一体に備えている。
【０００５】
そのため、例えば、現像ユニット内のトナー残量が少なくなった場合などに、感光ドラムを交換する必要は無くても、感光ドラムを含めたカートリッジ全体を交換しなければならず、コストの低減を図ることが困難である。
【０００６】
そこで、本開示の目的は、ドラムカートリッジがドロワに装着され、ドロワが内側位置に位置する状態で、クリーニング部材が上下方向において感光ドラムと定着器との間に位置するような画像形成装置であって、ドラムカートリッジと現像カートリッジとを個別に交換することができる画像形成装置を提供することにある。
【課題を解決するための手段】
【０００７】
（１）本開示の画像形成装置は、装置本体と、ドロワと、ドラムカートリッジと、露光器と、現像カートリッジと、廃トナー収容器と、定着器とを備える。
【０００８】
ドロワは、装置本体内に位置する内側位置と、装置本体外に位置する外側位置との間を移動可能である。
【０００９】
ドラムカートリッジは、感光ドラムと、クリーニング部材と、廃トナー搬送管とを備える。クリーニング部材は、感光ドラムをクリーニングする。廃トナー搬送管は、クリーニング部材によって感光ドラムから除去された廃トナーを搬送する。ドラムカートリッジは、ドロワに装着可能である。
【００１０】
露光器は、感光ドラムを露光して潜像を形成する。
【００１１】
現像カートリッジは、トナー収容器と、廃トナー収容器とを備える。トナー収容器は、現像ローラを有する。現像ローラは、感光ドラムに形成された潜像をトナーで現像してトナー像を形成する。トナー収容器は、現像ローラに供給されるトナーを収容可能である。廃トナー収容器は、廃トナーを収容可能である。現像カートリッジは、ドラムカートリッジに装着可能である。
【００１２】
定着器は、感光ドラムから印刷媒体に転写されたトナー像を定着させる。定着器は、ドラムカートリッジがドロワに装着され、ドロワが内側位置に位置する状態で、感光ドラムの上方に間隔を隔てて位置する。
【００１３】
ドラムカートリッジがドロワに装着され、ドロワが内側位置に位置する状態で、クリーニング部材は、上下方向において、感光ドラムと定着器との間に位置する。
【００１４】
トナー収容器は、廃トナー収容器に対して揺動可能に連結されていることにより、現像カートリッジがドラムカートリッジに装着された状態で、感光ドラムに対して移動可能である。
【００１５】
このような構成によれば、画像形成装置は、感光ドラムとクリーニング部材とを備えるドラムカートリッジと、現像ローラを備える現像カートリッジとを備える。ドラムカートリッジがドロワに装着され、ドロワが内側位置に位置する状態で、クリーニング部材は、上下方向において、感光ドラムと定着器との間に位置する。ドラムカートリッジは、ドロワに装着可能であり、現像カートリッジは、ドラムカートリッジに装着可能である。
【００１６】
そのため、ドラムカートリッジがドロワに装着され、ドロワが内側位置に位置する状態で、クリーニング部材が上下方向において感光ドラムと定着器との間に位置するような画像形成装置において、ドラムカートリッジと現像カートリッジとを個別に交換することができる。
【００１７】
これにより、ドラムカートリッジと現像カートリッジとを、それぞれの寿命に応じて、適切な時期に交換することができる。
【００１８】
また、このような構成によれば、クリーニング部材によって除去された廃トナーを廃トナー搬送管を介して廃トナー収容器に搬送し、廃トナー収容器を、トナー収容器とともに交換することができる。
【００１９】
また、このような構成によれば、トナー収容器は、廃トナー収容器に対して揺動可能に連結されていることにより、現像カートリッジがドラムカートリッジに装着された状態で、ドラムカートリッジに対して揺動可能である。
【００２０】
これにより、トナー収容器は、廃トナー収容器がドラムカートリッジに固定された状態で、感光ドラムと現像ローラとが回転するときに生じる現像ローラの振動に合わせて、感光ドラムに対して移動することができる。
【００２１】
（２）廃トナー搬送管は、感光ドラムの回転軸が延びる軸線方向に延びる円筒形状を有してもよい。この場合、現像カートリッジは、ドラムカートリッジに装着されるとき、廃トナー搬送管について回動する。
【００２２】
（３）廃トナー収容器は、シャフトを備えてもよい。シャフトは、トナー収容器を揺動可能に支持する。ドラムカートリッジは、ガイドを有してもよい。ガイドは、現像カートリッジがドラムカートリッジに装着されるときに、シャフトをガイドする。ガイドは、廃トナー搬送管の下方を通って現像カートリッジの回動方向に延びる。
【００２３】
（４）廃トナー搬送管は、排出口を有してもよい。排出口は、廃トナーを排出する。廃トナー搬送管は、シャッターを備えてもよい。シャッターは、排出口を閉鎖する閉位置と、排出口を開放する開位置との間を回動方向に移動可能である。また、シャッターは、切欠きを有する。廃トナー収容器は、突起を有する。突起は、シャッターの切欠きに嵌まる。シャッターは、現像カートリッジがドラムカートリッジに装着されるときに、突起が切欠きに嵌まることにより、廃トナー収容器とともに閉位置から開位置へ移動する。
【００２４】
（５）廃トナー搬送管は、感光ドラムの回転軸が延びる軸線方向と交差する方向に延びる円筒形状を有してもよい。廃トナー収容器は、廃トナー搬送管が挿入される挿入部を有する。
【００２５】
（６）ガイドは、廃トナー搬送管の下方を通って廃トナー搬送管が延びる方向に延びる直線形状であってもよい。
【００２６】
（７）シャッターは、排出口を閉鎖する閉位置と排出口を開放する開位置との間を、廃トナー搬送管が延びる方向に移動可能であってもよい。シャッターは、現像カートリッジがドラムカートリッジに装着されるときに、廃トナー収容器に接触して、閉位置から開位置に移動する。
【００２７】
（８）廃トナー収容器は、押圧部材を備えてもよい。押圧部材は、現像カートリッジがドラムカートリッジに装着された状態で、現像ローラが感光ドラムに接触する方向に向かって、トナー収容器を押圧する。
【発明の効果】
【００２８】
本開示の画像形成装置によれば、ドラムカートリッジがドロワに装着され、ドロワが内側位置に位置する状態で、クリーニング部材が上下方向において感光ドラムと定着器との間に位置するような画像形成装置において、ドラムカートリッジと現像カートリッジとを個別に交換することができる。
【図面の簡単な説明】
【００２９】
【図１】図１は、画像形成装置の概略構成図である。
【図２】図２は、図１に示すドロワが外側位置に位置する状態を示す。
【図３】図３は、図２に示すドロワの移動をガイドするためのガイド溝について説明するための説明図である。
【図４】図４は、ドロワを外側位置で止めるための構成の変形例について説明するための説明図である。
【図５】図５は、図１に示す現像カートリッジの平面図である。
【図６】図６は、図５に示す現像カートリッジの側面図である。
【図７】図７は、図１に示すドラムカートリッジの平面図である。
【図８】図８は、図７に示すドラムカートリッジのＡ−Ａ断面図である。
【図９】図９は、ドラムカートリッジに対する現像カートリッジの装着について説明するための説明図である。
【図１０】図１０は、変形例におけるドラムカートリッジを示す平面図である。
【図１１】図１１は、変形例における現像カートリッジを示す平面図である。
【図１２】図１２は、図１０に示すドラムカートリッジに対する、図１１に示す現像カートリッジの装着について、説明するための説明図である。
【発明を実施するための形態】
【００３０】
１．画像形成装置の概略
図１および図２を参照して、画像形成装置１の概略について説明する。
【００３１】
図１に示すように、画像形成装置１は、装置本体２と、給紙部３と、ドロワ４と、ドラムカートリッジ５と、露光器６と、現像カートリッジ７と、転写ローラ８と、定着器９とを備える。
【００３２】
１．１  装置本体
装置本体２は、給紙部３と、ドロワ４と、ドラムカートリッジ５と、露光器６と、現像カートリッジ７と、転写ローラ８と、定着器９とを収容する。装置本体２は、開口２Ａと、カバー２Ｂとを有する。
【００３３】
開口２Ａは、ドラムカートリッジ５が装置本体２に装着された状態で、ドラムカートリッジ５に対して、転写ローラ８の反対側に位置する。
【００３４】
カバー２Ｂは、開口２Ａを閉鎖する閉位置（図１参照）と、開口２Ａを開放する開位置（図２参照）との間を移動可能である。
【００３５】
１．２  給紙部
給紙部３は、感光ドラム１３に印刷媒体Ｐを供給するように構成される。印刷媒体Ｐは、例えば、印刷用紙である。感光ドラム１３については、後で説明する。給紙部３は、給紙トレイ１０と、ピックアップローラ１１と、給紙ローラ１２とを備える。給紙トレイ１０は、印刷媒体Ｐを収容するように構成される。ピックアップローラ１１は、給紙トレイ１０内の印刷媒体Ｐを給紙ローラ１２に向かって搬送するように構成される。給紙ローラ１２は、ピックアップローラ１１からの印刷媒体Ｐを感光ドラム１３に向かって搬送するように構成される。
【００３６】
１．３  ドロワ
ドロワ４は、カバー２Ｂが開位置に位置する状態で、内側位置（図１参照）と、外側位置（図２参照）との間を移動可能である。ドロワ４が内側位置に位置する場合、ドロワ４は、装置本体２内に位置する。ドロワ４が外側位置に位置する場合、ドロワ４は、装置本体２外に位置する。ドロワ４は、ドラムカートリッジ５を支持する。ドロワ４は、ドラムカートリッジ５を支持した状態で、内側位置と外側位置との間を移動可能である。ドロワ４は、装置本体２の一部と接触することにより、外側位置に止められる。
【００３７】
詳しくは、図３に示すように、装置本体２は、ガイド溝５００を有する。ガイド溝５００は、ドロワ４の移動方向に延びる。ガイド溝５００は、ドロワ４の移動方向において、一端５００Ａと他端５００Ｂとを有する。他端５００Ｂは、ドロワ４の移動方向において、一端５００Ａから離れて位置する。また、ドロワ４は、突起４Ａを有する。突起４Ａは、感光ドラム１３の回転軸Ａ１が延びる方向である軸線方向において、ドロワ４の側面に位置する。突起４Ａは、ガイド溝５００に嵌まる。これにより、ドロワ４は、ガイド溝５００に沿って移動可能となる。つまり、ガイド溝５００は、ドロワ４の移動をガイドする。ドロワ４は、外側位置から内側位置に向かって移動する場合、感光ドラム１３が転写ローラ８と接触することにより、内側位置に止められる。また、ドロワ４は、内側位置から外側位置に向かって移動する場合、突起４Ａがガイド溝５００の一端５００Ａの内面、すなわち、装置本体２の一部と接触することにより、外側位置に止められる。
【００３８】
なお、図４に示すように、装置本体２の一部は、カバー２Ｂであってもよい。詳しくは、カバー２Ｂは、ストッパー５００Ｃを有し、ドロワ４は、突起４Ｂを有する。ドロワ４は、内側位置から外側位置に向かって移動する場合、突起４Ｂがストッパー５００Ｃと接触することにより、外側位置に止められる。
【００３９】
１．４  ドラムカートリッジ
ドラムカートリッジ５は、ドロワ４に装着可能である。ドラムカートリッジ５は、感光ドラム１３と、帯電ローラ１４とを備える。
【００４０】
感光ドラム１３は、軸線方向に延びる回転軸Ａ１について回転可能である。感光ドラム１３は、軸線方向に延び、円筒形状を有する。
【００４１】
帯電ローラ１４は、感光ドラム１３の周面を帯電させる。帯電ローラ１４は、感光ドラム１３の周面に接触する。なお、ドラムカートリッジ５は、帯電ローラ１４の代わりに、スコロトロン型帯電器などの非接触の帯電器を備えてもよい。
【００４２】
１．５  露光器
露光器６は、感光ドラム１３を露光して潜像を形成する。詳しくは、露光器６は、帯電ローラ１４によって帯電された感光ドラム１３の周面を露光する。これにより、感光ドラム１３の周面に、潜像が、形成される。露光器６は、ドロワ４の上方に位置する。具体的には、露光器６は、レーザースキャンユニットである。
【００４３】
１．６  現像カートリッジ
現像カートリッジ７は、ドラムカートリッジ５に装着可能である。現像カートリッジ７は、トナー収容器１６を備える。
【００４４】
トナー収容器１６は、現像ローラ１５を有する。トナー収容器１６は、現像ローラ１５に供給されるトナーを収容可能である。
【００４５】
現像ローラ１５は、現像カートリッジ７がドラムカートリッジ５に装着された状態で、感光ドラム１３に接触する。現像ローラ１５は、現像カートリッジ７がドラムカートリッジ５に装着された状態で、現像カートリッジ７内のトナーを感光ドラム１３に供給可能である。これにより、現像ローラ１５は、感光ドラム１３に形成された潜像をトナーで現像して、感光ドラム１３の周面にトナー像を形成する。
【００４６】
１．７  転写ローラ
転写ローラ８は、ドラムカートリッジ５がドロワ４に装着され、ドロワ４が内側位置に位置した状態で、感光ドラム１３と接触する。給紙トレイ１０からの印刷媒体Ｐは、転写ローラ８と感光ドラム１３との間を通る。このとき、転写ローラ８は、感光ドラム１３の周面に形成されたトナー像を、印刷媒体Ｐに転写する。
【００４７】
１．８  定着器
定着器９は、トナー像が転写された印刷媒体Ｐを加熱および加圧して、感光ドラム１３から印刷媒体Ｐに転写されたトナー像を、印刷媒体Ｐに定着させる。定着器９を通過した印刷媒体Ｐは、装置本体２の上面に排紙される。定着器９は、ドラムカートリッジ５がドロワ４に装着され、ドロワ４が内側位置に位置する状態で、感光ドラム１３の上方に間隔を隔てて位置する。すなわち、画像形成装置１は、鉛直方向において定着器９が感光ドラム１３よりも上方に位置するように、水平な台などの上に設置される。
【００４８】
２．現像カートリッジの詳細
次に、図５および図６を参照して、現像カートリッジ７の詳細について説明する。
【００４９】
図５および図６に示すように、現像カートリッジ７は、上記したトナー収容器１６と、廃トナー収容器２１とを備える。
【００５０】
２．１  廃トナー収容器
廃トナー収容器２１は、廃トナーを収容可能である。廃トナーとは、クリーニング部材３２によって感光ドラム１３の周面から取り除かれたトナーである。クリーニング部材３２については、後で説明する。詳しくは、廃トナー収容器２１は、筐体２２と、シャッター２３と、２つの突起２４Ａ、２４Ｂ（図６参照）と、シャフト２５と、押圧部材２６（図６参照）と、ギア２７とを有する。
【００５１】
２．１．１  筐体
筐体２２は、軸線方向に延びる。筐体２２は、受入口２２Ａと、搬送部材２２Ｂ（図１参照）とを有する。
【００５２】
受入口２２Ａは、現像カートリッジ７がドラムカートリッジ５に装着された状態で、廃トナー搬送管３３の排出口３８（図２参照）から排出される廃トナーを受け入れる。廃トナー搬送管３３については、後で説明する。受入口２２Ａに受け入れられた廃トナーは、筐体２２内に収容される。これにより、廃トナー収容器２１は、廃トナーを収容可能である。
【００５３】
搬送部材２２Ｂは、図１に示すように、筐体２２内に設けられる。搬送部材２２Ｂは、筐体２２内に収容された廃トナーを、第１方向に搬送する。具体的には、搬送部材２２Ｂは、第１方向に延びるベルトコンベアーである。搬送部材２２Ｂは、シャフト２２１と、シャフト２２２と、ベルト２２３とを有する。シャフト２２２は、シャフト２２１よりも受入口２２Ａから離れて位置する。ベルト２２３は、シャフト２２１とシャフト２２２とに掛け渡される。
【００５４】
２．１．２  シャッター
シャッター２３は、図５および図６に示すように、筐体２２に取り付けられる。シャッター２３は、受入口２２Ａを開ける開位置（図６参照）と、受入口２２Ａを閉じる閉位置（図５参照）との間を、筐体２２に対して移動可能である。シャッター２３は、軸線方向に延びる。シャッター２３は、板形状を有する。シャッター２３は、２つの穴２３Ａ、２３Ｂを有する。穴２３Ｂは、軸線方向において、穴２３Ａから離れて位置する。２つの穴２３Ａ、２３Ｂのそれぞれは、貫通穴である。なお、受入口２２Ａは、軸線方向において、穴２３Ａと穴２３Ｂとの間に位置する。受入口２２Ａは、軸線方向において、穴２３Ａおよび穴２３Ｂから離れて位置する。現像カートリッジ７がドラムカートリッジ５に装着された状態で、穴２３Ａには、廃トナー搬送管３３の突起４０Ａ（図７参照）が嵌まり、穴２３Ｂには、廃トナー搬送管３３の突起４０Ｂ（図７参照）が嵌まる。これにより、現像カートリッジ７がドラムカートリッジ５に装着された状態で、シャッター２３は、廃トナー搬送管３３（図７参照）に対して固定される。
【００５５】
２．１．３  ２つの突起
２つの突起２４Ａ、２４Ｂは、筐体２２から延びる。突起２４Ｂは、軸線方向において、突起２４Ａから離れて位置する。現像カートリッジ７がドラムカートリッジ５に装着された状態で、突起２４Ａは、廃トナー搬送管３３のシャッター３９の切欠き３９Ａ（図７参照）に嵌まり、突起２４Ｂは、廃トナー搬送管３３のシャッター３９の切欠き３９Ｂ（図７参照）に嵌まる。これにより、現像カートリッジ７がドラムカートリッジ５に装着された状態で、廃トナー搬送管３３のシャッター３９は、筐体２２に対して固定される。なお、シャッター２３は、突起２４Ａと突起２４Ｂとの間に位置するので、筐体２２に対して移動可能である。
【００５６】
２．１．４  シャフト
シャフト２５は、廃トナー収容器２１とトナー収容器１６とを揺動可能に連結する。シャフト２５は、筐体２２の外面に取り付けられる。シャフト２５は、現像カートリッジ７がドラムカートリッジ５に装着された状態で、筐体２２の下方に位置する。シャフト２５は、軸線方向に延びる。シャフト２５は、軸線方向において、一端２５Ａと他端２５Ｂとを有する。他端２５Ｂは、軸線方向において、一端２５Ａから離れて位置する。一端２５Ａおよび他端５２Ｂのそれぞれは、廃トナー収容器２１から軸線方向に突出する。詳しくは、一端２５Ａは、軸線方向において、他端２５Ｂから、廃トナー収容器２１よりも離れて位置する。また、一端２５Ａは、軸線方向において、他端２５Ｂから、トナー収容器１６よりも離れて位置する。他端２５Ｂは、軸線方向において、廃トナー収容器２１に対して、一端２５Ａの反対側に位置する。他端２５Ｂは、軸線方向において、一端２５Ａから、廃トナー収容器２１よりも離れて位置する。また、他端２５Ｂは、軸線方向において、一端２５Ａから、トナー収容器１６よりも離れて位置する。シャフト２５は、トナー収容器１６を揺動可能に支持する。これにより、廃トナー収容器２１は、トナー収容器１６とともにドラムカートリッジ５に装着可能である。
【００５７】
２．１．５  押圧部材
押圧部材２６は、図６に示すように、筐体２２と現像カートリッジ７との間に位置する。現像カートリッジ７がドラムカートリッジ５に装着された状態で、押圧部材２６は、第１方向において、シャフト２５に対して、現像ローラ１５の反対側に位置する。押圧部材２６は、具体的には、圧縮コイルばねである。押圧部材２６は、現像カートリッジ７がドラムカートリッジ５に装着された状態で、現像ローラ１５が感光ドラム１３に接触する方向に向かって、トナー収容器１６を押圧する。
【００５８】
２．１．６  ギア
ギア２７は、軸線方向における筐体２２の外面に位置する。ギア２７は、搬送部材２２Ｂのシャフト２２１に取り付けられる。ギア２７は、搬送部材２２Ｂのシャフト２２１とともに回転可能である。
【００５９】
２．２  トナー収容器
図６に示すように、トナー収容器１６は、廃トナー収容器２１に対して揺動可能に連結されている。詳しくは、トナー収容器１６は、廃トナー収容器２１のシャフト２５に取り付けられている。トナー収容器１６は、シャフト２５について回転可能である。これにより、トナー収容器１６は、図１に示すように、現像カートリッジ７がドラムカートリッジ５に装着された状態で、感光ドラム１３に対して移動可能である。
【００６０】
３．ドラムカートリッジの詳細
次に、図７および図８を参照して、ドラムカートリッジ５の詳細について説明する。
【００６１】
図７および図８に示すように、ドラムカートリッジ５は、ドラムフレーム３１と、クリーニング部材３２（図８参照）と、廃トナー搬送管３３と、第１スクリュー３４と、第２スクリュー３５と、ギア列３６とを備える。
【００６２】
３．１  ドラムフレーム
ドラムフレーム３１は、感光ドラム１３、帯電ローラ１４、クリーニング部材３２、第１スクリュー３４および廃トナー搬送管３３を支持する。ドラムフレーム３１は、第１側板３１Ａと、第２側板３１Ｂと、廃トナー収容部３１Ｃ（図８参照）とを備える。
【００６３】
第１側板３１Ａは、図７に示すように、軸線方向におけるドラムフレーム３１の一端に位置する。第１側板３１Ａは、第１方向に延びる。第１方向は、軸線方向と交差する。好ましくは、第１方向は、軸線方向と直交する。第１方向は、感光ドラム１３から廃トナー搬送管３３の第２部分３３Ｂへ向かう方向である。第１方向は、ドラムカートリッジ５がドロワ４に装着された状態で、ドロワ４が内側位置から外側位置へ移動する方向と同じ方向である。第１側板３１Ａは、ガイド３７Ａを備える。すなわち、ドラムカートリッジ５は、ガイド３７Ａを備える。
【００６４】
ガイド３７Ａは、現像カートリッジ７がドラムカートリッジ５に装着されるときに、シャフト２５（図５参照）をガイドする。詳しくは、ガイド３７Ａには、現像カートリッジ７がドラムカートリッジ５に装着されるときに、シャフト２５の一端２５Ａが嵌まる。つまり、ガイド３７Ａは、シャフト２５の一端２５Ａをガイドする。ガイド３７Ａは、図８に示すように、廃トナー搬送管３３の下方を通って、現像カートリッジ７の回動方向に延びる。詳しくは、ガイド３７Ａは、第１ガイド部３７１と、第２ガイド部３７２とを有する。
【００６５】
第１ガイド部３７１は、第１方向において、廃トナー搬送管３３に対して感光ドラム１３の反対側に位置する。第１ガイド部３７１は、第１方向に延びる。
【００６６】
第２ガイド部３７２は、第１ガイド部３７１と接続する。第２ガイド部３７２は、第１方向において、第１ガイド部３７１と感光ドラム１３との間に位置する。第２ガイド部３７２は、廃トナー搬送管３３の第２部分３３Ｂの周りに位置する。第２ガイド部３７２は、ドラムカートリッジ５がドロワ４に装着されている状態で、廃トナー搬送管３３の下方に位置する。第２ガイド部３７２は、廃トナー搬送管３３の第２部分３３Ｂの周方向に延びる。
【００６７】
第２側板３１Ｂは、図７に示すように、軸線方向におけるドラムフレーム３１の他端に位置する。第２側板３１Ｂは、第１方向に延びる。第２側板３１Ｂは、軸線方向において、第１側板３１Ａから離れて位置する。第２側板３１Ｂは、ガイド３７Ｂを備える。ガイド３７Ｂには、現像カートリッジ７がドラムカートリッジ５に装着されるときに、シャフト２５の他端２５Ｂが嵌まる。つまり、ガイド３７Ｂは、シャフト２５の他端２５Ｂをガイドする。ガイド３７Ｂは、ガイド３７Ａと同じ構造を有し、ガイド３７Ａと同様に説明できる。そのため、ガイド３７Ｂの説明を省略する。
【００６８】
廃トナー収容部３１Ｃは、図８に示すように、クリーニング部材３２によって感光ドラム１３の周面から取り除かれた廃トナーを、収容する。廃トナー収容部３１Ｃは、軸線方向において、第１側板３１Ａと第２側板３１Ｂとの間に位置する。廃トナー収容部３１Ｃは、軸線方向に延びる。ドラムカートリッジ５がドロワ４に装着された状態で、廃トナー収容部３１Ｃは、感光ドラム１３の上方に位置する。また、ドラムカートリッジ５がドロワ４に装着され、ドロワ４が内側位置に位置する状態で、廃トナー収容部３１Ｃは、定着器９（図１参照）の下方に位置する。すなわち、ドラムカートリッジ５がドロワ４に装着され、ドロワ４が内側位置に位置する状態で、クリーニング部材３２は、上下方向において、感光ドラム１３と定着器９との間に位置する。言い換えると、ドラムカートリッジ５がドロワ４に装着され、ドロワ４が内側位置に位置する状態で、感光ドラム１３、廃トナー収容部３１Ｃおよび定着器９は、下方から上方へ向かう方向において、感光ドラム１３、廃トナー収容部３１Ｃ、定着器９の順に並ぶ。廃トナー収容部３１Ｃは、廃トナーを受け入れるための開口３１Ｄを有する。開口３１Ｄは、廃トナー収容部３１Ｃの内部空間に通じる。
【００６９】
３．２  クリーニング部材
図８に示すように、クリーニング部材３２は、感光ドラム１３をクリーニングする。クリーニング部材３２は、廃トナー収容部３１Ｃに取り付けられる。クリーニング部材３２は、軸線方向に延び、板形状を有する。クリーニング部材３２のエッジは、開口３１Ｄ内に位置する。クリーニング部材３２のエッジは、感光ドラム１３の周面に接触する。これにより、感光ドラム１３が回転したときに、感光ドラム１３の周面に付着したトナーは、クリーニング部材３２のエッジによって掻き取られ、開口３１Ｄを介して廃トナー収容部３１Ｃ内に収容される。ドラムカートリッジ５がドロワ４に装着された状態で、クリーニング部材３２は、感光ドラム１３の上方に位置する。また、図１に示すように、ドラムカートリッジ５がドロワ４に装着され、ドロワ４が内側位置に位置する状態で、クリーニング部材３２は、感光ドラム１３と定着器９（図１参照）との間に位置する。
【００７０】
３．３  廃トナー搬送管
図７に示すように、廃トナー搬送管３３は、クリーニング部材３２によって感光ドラム１３から除去された廃トナーを搬送する。廃トナー搬送管３３は、第１部分３３Ａと、第２部分３３Ｂとを有する。
【００７１】
第１部分３３Ａは、廃トナー収容部３１Ｃと第２部分３３Ｂとを繋ぐ。第１部分３３Ａは、第２側板３１Ｂに支持される。第１部分３３Ａは、軸線方向において、第２側板３１Ｂに対して第１側板３１Ａの反対側に位置する。第１部分３３Ａは、第１方向に延びる。
【００７２】
第２部分３３Ｂは、軸線方向において、第１側板３１Ａと第２側板３１Ｂとの間に位置する。第２部分３３Ｂは、軸線方向に延びる円筒形状を有する。すなわち、廃トナー搬送管３３は、軸線方向に延びる円筒形状を有する。第２部分３３Ｂは、排出口３８と、シャッター３９と、２つの突起４０Ａ、４０Ｂを有する。すなわち、廃トナー搬送管３３は、排出口３８と、シャッター３９とを有する。
【００７３】
排出口３８は、廃トナー搬送管３３内の廃トナーを排出する。排出口３８は、軸線方向おいて、第１側板３１Ａと第２側板３１Ｂとの間に位置する。排出口３８は、軸線方向において、第２側板３１Ｂよりも第１側板３１Ａの近くに位置する。言い換えると、軸線方向における第１側板３１Ａと排出口３８との距離は、軸線方向における第２側板３１Ｂと排出口３８との距離よりも短い。
【００７４】
シャッター３９は、図７および図８に示すように、廃トナー搬送管３３の周面に位置する。シャッター３９は、排出口３８を閉鎖する閉位置（図８参照）と、排出口３８を開放する開位置（図２参照）との間を、ドラムカートリッジ５に対して現像カートリッジ７を装着するときの現像カートリッジ７の回動方向に、移動可能である。シャッター３９は、２つの切欠き３９Ａ、３９Ｂ（図７参照）と、開口３９Ｃと、を有する。
【００７５】
切欠き３９Ｂは、軸線方向において、切欠き３９Ａから離れて位置する。なお、排出口３８は、軸線方向において、切欠き３９Ａと切欠き３９Ｂとの間に位置する。排出口３８は、軸線方向において、切欠き３９Ａおよび切欠き３９Ｂから離れて位置する。廃トナー収容器２１がドラムカートリッジ５に装着された状態で、切欠き３９Ａには、廃トナー収容器２１の突起２４Ａ（図５参照）が嵌まり、切欠き３９Ｂには、廃トナー収容器２１の突起２４Ｂ（図５参照）が嵌まる。これにより、現像カートリッジ７がドラムカートリッジ５に装着された状態で、シャッター３９は、廃トナー収容器２１に対して固定される。これにより、シャッター３９は、現像カートリッジ７がドラムカートリッジ５に装着されるときに、廃トナー収容器２１とともに移動可能となる。
【００７６】
開口３９Ｃは、軸線方向において、切欠き３９Ａと切欠き３９Ｂとの間に位置する。図２に示すように、シャッター３９が開位置に位置する場合、開口３９Ｃは、排出口３８と通じる。これにより、シャッター３９は、排出口３８を開放する。また、図８に示すように、シャッター３９が閉位置に位置する場合、開口３９Ｃは、排出口３８から離れて、排出口３８と通じない。シャッター３９が閉位置に位置する場合、シャッター３９は、排出口３８を覆う。これにより、シャッター３９は、排出口３８を閉鎖する。
【００７７】
図７に示すように、２つの突起４０Ａ、４０Ｂは、廃トナー搬送管３３の第２部分３３Ｂの周面から延びる。突起４０Ｂは、軸線方向において、突起４０Ａから離れて位置する。現像カートリッジ７がドラムカートリッジ５に装着された状態で、突起４０Ａは、廃トナー収容器２１のシャッター２３の穴２３Ａ（図５参照）に嵌まり、突起４０Ｂは、廃トナー収容器２１のシャッター２３の穴２３Ｂ（図５参照）に嵌まる。これにより、現像カートリッジ７がドラムカートリッジ５に装着された状態で、廃トナー収容器２１のシャッター２３は、廃トナー搬送管３３に対して固定される。
【００７８】
３．４  第１スクリュー
第１スクリュー３４は、図７に示すように、廃トナー収容部３１Ｃ内に位置する。第１スクリュー３４は、軸線方向に延びる。これにより、第１スクリュー３４は、廃トナー収容部３１Ｃ内の廃トナーを軸線方向に搬送可能である。第１スクリュー３４は、具体的には、オーガスクリューである。
【００７９】
３．５  第２スクリュー
第２スクリュー３５は、図７に示すように、廃トナー搬送管３３内に位置する。第２スクリュー３５は、廃トナー搬送管３３が延びる方向に延びる。第２スクリュー３５は、第１スクリュー３４によって搬送された廃トナーを、排出口３８まで搬送する。第２スクリュー３５は、具体的には、シャフトレス・スクリューである。
【００８０】
３．６  ギア列
ギア列３６は、図８に示すように、現像カートリッジ７がドラムカートリッジ５に装着された状態で、ドラムギア１３Ｂと、廃トナー収容器２１のギア２７とを繋ぐ。
【００８１】
詳しくは、ドラムカートリッジ５は、図７に示すように、ドラムカップリング１３Ａと、ドラムギア１３Ｂとを有する。ドラムカップリング１３Ａおよびドラムギア１３Ｂは、軸方向における感光ドラム１３の一端部に取り付けられる。ドラムカートリッジ５がドロワ４に装着され、ドロワ４が内側位置に位置する状態で、ドラムカップリング１３Ａは、画像形成装置１の本体カップリングと係合する。本体カップリングは、図示されていない。ドラムカップリング１３Ａは、本体カップリングと係合した状態で、本体カップリングとともに回転可能である。ドラムギア１３Ｂは、ドラムカップリング１３Ａと感光ドラム１３との間に位置する。ドラムギア１３Ｂは、ドラムカップリング１３Ａおよび感光ドラム１３とともに回転可能である。
【００８２】
ギア列３６は、図８に示すように、複数のアイドルギア３６Ａ、３６Ｂ、３６Ｃ、３６Ｄ、３６Ｅを有する。アイドルギア３６Ａは、ドラムギア１３Ｂと噛み合う。アイドルギア３６Ｂは、アイドルギア３６Ａと噛み合う。アイドルギア３６Ｃは、アイドルギア３６Ｂと噛み合う。アイドルギア３６Ｄは、アイドルギア３６Ｃと噛み合う。アイドルギア３６Ｅは、アイドルギア３６Ｄと噛み合う。そして、現像カートリッジ７がドラムカートリッジ５に装着された状態で、アイドルギア３６Ｅは、廃トナー収容器２１のギア２７と噛み合う。これにより、本体カップリングによってドラムカップリング１３Ａ（図７参照）に入力された動力は、ドラムギア１３Ｂ、ギア列３６およびギア２７を介して、廃トナー収容器２１の搬送部材２２Ｂ（図１参照）に伝わる。
【００８３】
４．ドラムカートリッジに対する現像カートリッジの装着
次に、図２および図９を参照して、ドラムカートリッジ５に対する現像カートリッジ７の装着について説明する。
【００８４】
現像カートリッジ７は、図９および図２に示すように、ドラムカートリッジ５がドロワ４に装着され、ドロワ４が外側位置に位置する状態で、ドラムカートリッジ５に対して装着可能である。これにより、ドロワ４が外側位置に位置する状態で、ドラムカートリッジ５をドロワ４に装着したまま、現像カートリッジ７だけをドラムカートリッジ５から分離して交換することが可能である。また、ドロワ４が外側位置に位置し、ドロワ４の突起４Ａがガイド溝５００の一端５００Ａ（図３参照）の内面に接触している状態で、感光ドラム１３は装置本体２の内側に位置する。そのため、感光ドラム１３に外光があたって感光ドラム１３が劣化したり、感光ドラム１３に異物が付着したりすることを抑制できる。また、ドロワ４が外側位置に位置し、ドロワ４の突起４Ａがガイド溝５００の一端５００Ａの内面に接触している状態で、廃トナー搬送管３３の第２部分３３Ｂと排出口３８は、装置本体２の外側に位置する。そのため、現像カートリッジ７をドラムカートリッジ５に装着する場合に、現像カートリッジ７の廃トナー収容器２１とドラムカートリッジ５の廃トナー搬送管３３とを容易に連結できる。現像カートリッジ７は、ドラムカートリッジ５に装着されるとき、廃トナー搬送管３３について回動する。
【００８５】
詳しくは、現像カートリッジ７がドラムカートリッジ５に装着されるとき、図９に示すように、まず、廃トナー収容器２１と廃トナー搬送管３３とが連結される。このとき、廃トナー収容器２１のシャッター２３（図５参照）は、閉位置に位置した状態で、上記したように、廃トナー搬送管３３の第２部分３３Ｂ（図７参照）に対して固定される。また、廃トナー搬送管３３のシャッター３９（図７参照）は、閉位置に位置した状態で、上記したように、廃トナー収容器２１の筐体２２（図５参照）に対して固定される。
【００８６】
次に、現像カートリッジ７は、図９および図２に示すように、廃トナー収容器２１と廃トナー搬送管３３とが連結された状態で、廃トナー搬送管３３について回動する。
【００８７】
このとき、シャッター２３（図５参照）は、廃トナー搬送管３３に対して固定されていることにより、廃トナー搬送管３３に対して移動しない。その状態で、廃トナー収容器２１が廃トナー搬送管３３について回動することにより、廃トナー収容器２１の筐体２２は、シャッター２３に対して移動する。すると、シャッター２３は、廃トナー収容器２１の筐体２２に対して、閉位置から開位置へ移動する。
【００８８】
また、シャッター３９（図２参照）は、廃トナー収容器２１の筐体２２に対して固定されていることにより、筐体２２とともに、廃トナー搬送管３３について回動する。すると、シャッター２３は、廃トナー搬送管３３に対して、閉位置から開位置へ移動する。すなわち、シャッター３９は、現像カートリッジ７がドラムカートリッジ５に装着されるときに、突起２４Ａが切欠き３９Ａに嵌まり、突起２４Ｂが切欠き３９Ｂに嵌まることにより、閉位置と開位置との間を、現像カートリッジ７の回動方向に移動可能である。
【００８９】
これにより、図２に示すように、現像カートリッジ７がドラムカートリッジ５に装着された状態で、シャッター２３およびシャッター３９は、それぞれ、開位置に位置する。
【００９０】
なお、現像カートリッジ７は、ドロワ４が外側位置に位置する状態で、ドラムカートリッジ５とともに、ドロワ４に対して装着することもできる。
【００９１】
５．作用効果
画像形成装置１では、図９に示すように、ドラムカートリッジ５は、ドロワ４に装着可能であり、現像カートリッジ７は、ドラムカートリッジ５に装着可能である。
【００９２】
そのため、ドラムカートリッジ５がドロワ４に装着され、ドロワ４が内側位置に位置する状態で、クリーニング部材３２が感光ドラム１３と定着器９との間に位置するような画像形成装置１において、ドラムカートリッジ５と現像カートリッジ７とを個別に交換することができる。
【００９３】
これにより、ドラムカートリッジ５と現像カートリッジ７とを、それぞれの寿命に応じて、適切な時期に交換することができる。
【００９４】
また、画像形成装置１では、クリーニング部材３２によって除去された廃トナーを廃トナー搬送管３３（図７参照）を介して、廃トナー収容器２１（図１参照）に搬送し、図９に示すように、廃トナー収容器２１を、トナー収容器１６とともに交換することができる。
【００９５】
また、画像形成装置１では、図１に示すように、トナー収容器１６は、廃トナー収容器２１に対して揺動可能に連結されていることにより、現像カートリッジ７がドラムカートリッジ５に装着された状態で、感光ドラム１３に対して移動可能である。
【００９６】
これにより、トナー収容器１６は、廃トナー収容器２１がドラムカートリッジ５に固定された状態で、感光ドラム１３と現像ローラ１５とが回転するときに生じる現像ローラ１５の振動に合わせて、感光ドラム１３に対して移動することができる。
【００９７】
６．変形例
次に、図１０から図１２を参照して、変形例について説明する。変形例において、上記した実施形態と同様の部材には同じ符号を付し、説明を省略する。
【００９８】
６．１  ドラムカートリッジ
図１０および図１２を参照して、変形例のドラムカートリッジ５について説明する。
【００９９】
図１０に示すように、廃トナー搬送管５１は、軸線方向において、第１側板３１Ａと第２側板３１Ｂとの間に位置する。廃トナー搬送管５１は、第１方向に延びる円筒形状を有する。廃トナー搬送管５１は、軸線方向において、第１側板３１Ａよりも第２側板３１Ｂの近くに位置する。すなわち、排出口５２は、軸線方向において、第１側板３１Ａよりも第２側板３１Ｂの近くに位置する。
【０１００】
シャッター５３は、排出口５２を開放する開位置（図１２参照）と排出口５２を閉鎖する閉位置（図１０参照）との間を、第１方向に移動可能である。すなわち、シャッター５３は、開位置と閉位置との間を、廃トナー搬送管５１が延びる方向に移動可能である。シャッター５３は、現像カートリッジ７がドラムカートリッジ５に装着されるときに、図１２に示すように、廃トナー収容器２１に接触して、閉位置から開位置に移動する。
【０１０１】
また、図１２に示すように、ガイド５４は、廃トナー搬送管５１の下方を通って、廃トナー搬送管５１が延びる方向に延びる直線形状である。詳しくは、ガイド５４は、第１ガイド部５４１と、第２ガイド部５４２とを有する。第１ガイド部５４１は、上記した実施形態のガイド３７の第１ガイド部３７１と同じ構造を有し、ガイド３７の第１ガイド部３７１と同様に説明できる。そのため、第１ガイド部５４１についての説明を省略する。第２ガイド部５４２は、廃トナー搬送管５１の下方に位置する。第２ガイド部５４２は、第１方向に延びる。すなわち、第２ガイド部５４２は、廃トナー搬送管５１が延びる方向に延びる。
【０１０２】
６．２  廃トナー収容器
次に、図１１および図１２を参照して、変形例の廃トナー収容器２１について説明する。
【０１０３】
廃トナー収容器２１は、廃トナー搬送管５１が挿入される挿入部６１を有する。挿入部６１は、第１方向に延びる円筒形状を有する。挿入部６１は、受入口６２と、シャッター６３とを有する。
【０１０４】
受入口６２は、挿入部６１内に位置する。受入口６２は、廃トナー収容器２１の内部空間に通じる。
【０１０５】
シャッター６３は、挿入部６１内に位置する。シャッター６３は、受入口６２を開放する開位置（図１２参照）と、受入口６２を閉鎖する閉位置（図１１参照）との間を、第１方向に移動可能である。シャッター６３は、挿入部６１に廃トナー搬送管５１が挿入されるときに、廃トナー搬送管５１と接触して、閉位置から開位置に移動する。
【０１０６】
６．３  変形例の作用効果
変形例においても、上記した実施形態と同様の作用効果を得ることができる。
【符号の説明】
【０１０７】
１        画像形成装置
２        装置本体
４        ドロワ
５        ドラムカートリッジ
６        露光器
７        現像カートリッジ
９        定着器
１３      感光ドラム
１５      現像ローラ
１６      トナー収容器
２１      廃トナー収容器
２４Ａ    突起
２４Ｂ    突起
２５      シャフト
２６      押圧部材
３２      クリーニング部材
３３      廃トナー搬送管
３７      ガイド
３８      排出口
３９      シャッター
３９Ａ    切欠き
３９Ｂ    切欠き
５１      廃トナー搬送管
５４      ガイド
６１      挿入部
６３      シャッター
Ａ１      回転軸
Ｐ        印刷媒体
【図１】
2019204006.tif 000003
【図２】
2019204006.tif 000004
【図３】
2019204006.tif 000005
【図４】
2019204006.tif 000006
【図５】
2019204006.tif 000007
【図６】
2019204006.tif 000008
【図７】
2019204006.tif 000009
【図８】
2019204006.tif 000010
【図９】
2019204006.tif 000011
【図１０】
2019204006.tif 000012
【図１１】
2019204006.tif 000013
【図１２】
2019204006.tif 000014